(57)【要約】【課題】ヒンジが切れた場合であっても電線配索溝部から蓋部が浮くことを防止できるバスバモジュールを提供する。【解決手段】バスバモジュール１１は、電池集合体に取り付けられ各単電池の電極間を電気的に接続する複数のバスバ３５を有した電線配索体１７と、バスバを介して各単電池に接続される複数の電線を電線配索体１７の一対の側壁の間に収容する電線配索溝部２１と、一方の側壁４９にヒンジ５５を介して支持され電線配索溝部２１の溝開口を塞ぐ蓋部２３と、蓋部２３の開閉側縁部５７に形成される係止爪２５と、他方の側壁５１の外面に形成され係止爪２５が係止される爪受部２７と、ヒンジ５５が形成される側の支持側縁部８１に形成される副係止爪２９と、一方の側壁４９の外面に形成され副係止爪２９が係止される副爪受部３１と、一方の側壁４９の副爪受部３１と反対側の内面から突出する突出壁３３と、を備える。【選択図】図２
2018195504.tif 000002
【特許請求の範囲】
【請求項１】
複数の単電池で構成された電池集合体に取り付けられて各単電池の電極間を電気的に接続する複数のバスバを収容した電線配索体と、
前記バスバを介して前記各単電池に接続される複数の電線と、
前記電線配索体に形成されて一対の側壁の間に前記電線を収容する電線配索溝部と、
一方の側壁にヒンジを介して支持されて前記電線配索溝部に被せられて溝開口を塞ぐ蓋部と、
前記蓋部における前記ヒンジと反対側の開閉側縁部に形成される被係止部と、
他方の側壁の外面に形成されて前記被係止部が係止される係止部と、
前記蓋部における前記ヒンジが形成される側の支持側縁部に形成される副被係止部と、
前記一方の側壁の外面に形成され前記副被係止部が係止される副係止部と、
前記一方の側壁における前記副係止部と反対側の内面から前記他方の側壁に向けて突出する突出壁と、
を備えることを特徴とするバスバモジュール。
【請求項２】
請求項１に記載のバスバモジュールであって、
前記被係止部及び前記係止部と、前記副被係止部及び前記副係止部とが、前記電線配索溝部の延在方向の異なる位置に形成されることを特徴とするバスバモジュール。
【発明の詳細な説明】
【技術分野】
【０００１】
本発明は、バスバモジュールに関する。
【背景技術】
【０００２】
電気自動車やハイブリッド自動車などの車両に搭載される電池集合体には、バスバモジュールが取り付けられる。バスバモジュールは、電池集合体の各単電池を互いに接続する複数のバスバと、このバスバを介して各単電池に接続される複数の電線と、これら複数のバスバを収容すると共に複数の電線を配索するための電線配索体と、を有する。
【０００３】
図７に示すように、電線配索体５０１は、一対の側壁の間に形成した電線配索溝部５０３に、各電線５０５を収容する。電線配索体５０１は、一方の側壁５０７にヒンジ５０９を介して支持され、電線配索溝部５０３に被せられて溝開口を塞ぐ蓋部５１１を有する。蓋部５１１は、ヒンジ５０９と反対側の開閉側縁部５１３に係止爪５１５を有する。この係止爪５１５は、他方の側壁５１７の外面に形成された爪受部５１９に係止される。蓋部５１１は、係止爪５１５が爪受部５１９に係止されることにより電線配索溝部５０３を塞いだ状態で保持される。
【先行技術文献】
【特許文献】
【０００４】
【特許文献１】特開２０１１−６５８６３号公報
【発明の概要】
【発明が解決しようとする課題】
【０００５】
しかしながら、ヒンジ５０９は、一般に薄板状に形成されているため、蓋部５１１を閉じる際の回動時などに切れてしまう可能性がある。蓋部５１１は、ヒンジ５０９が切れると、電線配索溝部５０３から浮いた状態（図７の想像線の状態）となる。電線配索体５０１は、蓋部５１１が浮いてしまうと、一方の側壁５０７と蓋部５１１との間に生じた隙間５２１に、電線５０５が入り込んでしまう可能性があった。
【０００６】
本発明は上記状況に鑑みてなされたもので、その目的は、ヒンジが切れた場合であっても電線配索溝部から蓋部が浮くことを防止できるバスバモジュールを提供することにある。
【課題を解決するための手段】
【０００７】
本発明に係る上記目的は、下記構成により達成される。
（１）  複数の単電池で構成された電池集合体に取り付けられて各単電池の電極間を電気的に接続する複数のバスバを収容した電線配索体と、前記バスバを介して前記各単電池に接続される複数の電線と、前記電線配索体に形成されて一対の側壁の間に前記電線を収容する電線配索溝部と、一方の側壁にヒンジを介して支持されて前記電線配索溝部に被せられて溝開口を塞ぐ蓋部と、前記蓋部における前記ヒンジと反対側の開閉側縁部に形成される被係止部と、他方の側壁の外面に形成されて前記被係止部が係止される係止部と、前記蓋部における前記ヒンジが形成される側の支持側縁部に形成される副被係止部と、前記一方の側壁の外面に形成され前記副被係止部が係止される副係止部と、前記一方の側壁における前記副係止部と反対側の内面から前記他方の側壁に向けて突出する突出壁と、を備えることを特徴とするバスバモジュール。
【０００８】
上記（１）の構成のバスバモジュールによれば、一対の側壁を有する電線配索溝部には、一方の側壁にヒンジを介して連結した蓋部が被せられる。蓋部は、ヒンジを回転中心に、回転されて閉動される。副被係止部は、ヒンジが形成される側の支持側縁部に形成されているので、蓋部の開閉側縁部に設けられる被係止部よりも先に、電線配索溝部に接近する。副被係止部が接近する一方の側壁の内面には、他方の側壁に向けて突出壁が突出している。副被係止部は、この突出壁により一方の側壁を乗り越えて一方の側壁の内面側へ進入することが規制される。また、副被係止部が突出壁に当接した状態では、蓋部のそれ以上の回転も規制される。蓋部は、副被係止部が、突出壁と反対側の一方の側壁の外面に沿う位置に配置されることで、回転が可能となる。この突出壁による副被係止部の誤進入防止作用により、副被係止部が未係止となることが防止される。
溝開口を塞いだ蓋部は、開閉側縁部の被係止部が、他方の側壁の外面に形成された係止部に係止される。また、蓋部は、支持側縁部の副被係止部が、一方の側壁の外面に形成された副係止部に係止される。蓋部は、ヒンジ側の支持側縁部にも副被係止部が設けられたことで、蓋部を閉じた際に電線配索溝部の溝幅方向の両側でロックされる。したがって、仮にヒンジが切れた場合であっても電線配索溝部から蓋部が浮くことが防止される。
なお、突出壁は、電線配索溝部に収容された電線の上方で溝開口を横断する方向に突出しているので、電線配索溝部から電線が浮き上がることも規制できる。
【０００９】
（２）  上記（１）に記載のバスバモジュールであって、前記被係止部及び前記係止部と、前記副被係止部及び前記副係止部とが、前記電線配索溝部の延在方向の異なる位置に形成されることを特徴とするバスバモジュール。
【００１０】
上記（２）の構成のバスバモジュールによれば、被係止部及び係止部と、副被係止部及び副係止部とが、電線配索溝部の延在方向に離間して配置される。被係止部及び係止部と、副被係止部及び副係止部とは、他方の側壁側と一方の側壁側とに配置され、且つ電線配索溝部の延在方向に離間されるので、方形状の蓋部の対角線上に配置される。蓋部は、被係止部及び副被係止部が対角線上に配置されることにより、少ないロック数で長手方向の広い領域にわたって蓋部の浮き上がりを防止できる。
【発明の効果】
【００１１】
本発明に係るバスバモジュールによれば、ヒンジが切れた場合であっても電線配索溝部から蓋部が浮くことを防止できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】本発明の一実施形態に係るバスバモジュールの要部平面図である。
【図２】図１に示した電線配索溝部におけるＡ部の拡大斜視図である。
【図３】電線配索溝部におけるヒンジ位置での横断面図である。
【図４】電線配索溝部における副被係止部位置での横断面図である。
【図５】蓋部の副被係止部が突出壁に当接した状態を示す電線配索体の横断面図である。
【図６】中央線を境に左右で異なる電線配索溝部の位置を切った横断面図である。
【図７】従来の電線配索体の横断面図である。
【発明を実施するための形態】
【００１４】
以下、本発明に係る実施形態を図面を参照して説明する。
図１は本発明の一実施形態に係るバスバモジュール１１の要部平面図である。
本実施形態に係るバスバモジュール１１は、電動モータを用いて走行する電気自動車や、エンジンと電動モータとを併用して走行するハイブリッド自動車などに搭載される電源装置（図示略）の電池集合体１３に取り付けられる。
【００１５】
電池集合体１３は、一列に配列され且つ互いに固定された複数の単電池１５で構成される。各単電池１５は、直方体状の電池本体と、この電池本体の１つの面の一端及び他端からそれぞれ突出して設けられた一対の電極（図示略）と、を備えている。一対の電極のうち一方の電極は正極であり、他方の電極は負極である。各単電池１５は、一対の電極が設けられた面が同一方向に向けられる。バスバモジュール１１は、この電極が設けられた電池集合体１３の面に重ねて取り付けられる。
【００１６】
本実施形態に係るバスバモジュール１１は、絶縁樹脂製の電線配索体１７と、電線１９と、電線配索溝部２１と、蓋部２３と、被係止部である係止爪２５と、係止部である爪受部２７と、副被係止部である副係止爪２９と、副係止部である副爪受部３１と、突出壁３３と、を主要な構成として有する。
【００１７】
電線配索体１７は、複数の単電池１５で構成された電池集合体１３に取り付けられ、各単電池１５の電極間を電気的に接続する複数のバスバ３５を収容する。電線配索体１７は、例えば、合成樹脂等を用いて互いに一体に成形されたバスバ収容部３７と、電線配索溝部２１と、連結溝部３９と、を備えている。
【００１８】
バスバ３５は、電池集合体１３の互いに隣り合う単電池１５の正極と負極とに取り付けられることでこれら各単電池１５を直列に接続する。バスバ３５は、導電性の金属板にプレス加工が施されるなどして得られる。バスバ３５は、略長方形板状の金属板に、互いに隣り合う単電池１５の正極及び負極が通される一対の孔が設けられる。これら一対の孔は、バスバ３５の長手方向に沿って、互いに隣り合う単電池１５の正極及び負極と同じ間隔をあけて配置される。また、バスバ３５は、孔に通された正極及び負極にナット（図示略）が螺合されることで、単電池１５に取り付けられるとともに、正極及び負極に電気的に接続される。
【００１９】
バスバ収容部３７は、バスバ３５と略同一形状の略長方形板状の底壁と、底壁の周縁から垂直に立設された周壁部４１とで構成され、略器形状に形成されている。底壁には、バスバ３５の一対の孔と重なる一対の孔（図示略）が設けられる。この底壁の内面（即ち、周壁部４１で囲われる面）には、順次、バスバ３５及び電圧検出端子４３が重ねられる。つまり、バスバ収容部３７の内側には、バスバ３５及び電圧検出端子４３が１つずつ収容される。そして、各単電池１５の正極又は負極は、底壁の一対の孔及びバスバ３５の孔を順次通され、更に、正極又は負極のどちらか一方は、電圧検出端子４３の孔を通される。また、複数のバスバ収容部３７は、それらの長手方向が複数の単電池１５の配列方向に沿うようにして一列に並べられており、互いに連結部材４５によって連結されている。
【００２０】
連結部材４５は、断面Ｃ字形状の半円筒形状で且つ弾性変形可能に形成されたヒンジである。連結部材４５は、その一対の両縁部が、互いに隣り合うバスバ収容部３７における相対する周壁部４１にそれぞれ連設されている。連結部材４５は、弾性変形することにより、隣接するバスバ収容部間の距離を近づけたり離したりして、各単電池１５や電線配索体１７等の形状誤差を吸収する。この吸収作用により、電源装置の組立性を向上させることができる。
【００２１】
図２は図１に示した電線配索溝部２１におけるＡ部の拡大斜視図である。
電線配索溝部２１は、長尺の矩形板状の底壁４７と、底壁４７の幅方向に相対する両縁部から垂直に立設した一対の側壁（一方の側壁４９、他方の側壁５１）と、からなる溝状（樋形状）に形成される。電線配索溝部２１は、一方の側壁４９と他方の側壁５１との間に、複数の電線１９（図３参照）を収容する。電線配索溝部２１は、複数のバスバ収容部３７が並ぶ方向（図１の左右方向）に沿って配置される。
【００２２】
連結溝部３９は、一対の連結壁部５３により樋状に形成される。連結溝部３９は、バスバ収容部３７と電線配索溝部２１とを連通するように設けられる。連結溝部３９には、電圧検出端子４３に接続された電線１９が配置される。
【００２３】
電線１９は、バスバ３５を介して各単電池１５に接続される。電線１９は、導電性の芯線と芯線を被覆した絶縁被覆とを有する周知の被覆電線である。電線１９は、その一端において、絶縁被覆が皮剥きされて芯線が露出している。電線１９の一端は、電圧検出端子４３に電気的に接続される。電線１９の他端は、図示しないＥＣＵ（Ｅｌｅｃｔｒｏｎｉｃ  Ｃｏｎｔｒｏｌ  Ｕｎｉｔ）が備える電圧検出回路等に接続される。ＥＣＵは、電圧検出回路によって検出された各単電池１５における一対の電極との電位差（電圧）に基づいて、各単電池１５の残量や充放電状態等を検出する。
【００２４】
蓋部２３は、一方の側壁４９にヒンジ５５を介して支持され電線配索溝部２１に被せられて溝開口を塞ぐ。本実施形態において、蓋部２３は、矩形板状に形成される。また、ヒンジ５５は、蓋部２３と一方の側壁４９とに渡って一体的に成形された薄厚板状の可撓部である。
【００２５】
図３は電線配索溝部２１におけるヒンジ５５位置での横断面図である。
係止爪２５は、蓋部２３のヒンジ５５と反対側の開閉側縁部５７に形成される被係止部である。蓋部２３は、開閉側縁部５７に、他方の側壁５１の外面５９と平行となる水切り壁６１が蓋部２３の長手方向（図の左右方向）にわたって形成される。係止爪２５は、この水切り壁６１の一部から、更に突出して外面５９と平行に形成される。係止爪２５は、係止爪本体６３と、爪部６５と、を有する。爪部６５は、蓋部２３が電線配索溝部２１に被せられた状態において、他方の側壁５１と反対側の係止爪本体面から突出して形成される。爪部６５は、蓋部２３の閉止動作の先端側に、先端に向かって爪部６５を薄厚とするテーパ面６７を有する。このテーパ面６７の後方には、外面５９に垂直な係止面６９が形成される。係止爪２５は、この係止面６９が爪受部２７に係止される。
【００２６】
爪受部２７は、他方の側壁５１の外面５９に形成される。爪受部２７には、係止爪２５が係止される。爪受部２７は、脚部７１と、係止板７３と、を有する。係止板７３は、他方の側壁５１の外面５９と平行に配置される。係止板７３は、電線配索溝部２１の延在方向（図２の左右方向）の両端が、一対の脚部７１により他方の側壁５１の外面５９に一体的に成形される。したがって、係止板７３と外面５９との間には、外面５９、係止板７３、一対の脚部７１に包囲される矩形の係止穴７５（図２参照）が形成される。この係止穴７５は、係止爪２５を受け入れる。係止板７３は、合成樹脂材料が有する弾性（可撓性）により外面５９から離反する方向の若干の変形を許容する。係止板７３には、係止爪２５の挿入方向に向かって外面５９に徐々に接近する案内傾斜面７７が形成される。案内傾斜面７７は、蓋部２３の閉止時に、当接した係止爪２５の先端を摺接させることにより、係止爪２５を係止穴７５に貫通させる方向に案内する。係止板７３は、係止爪２５の貫通側に、外面５９と垂直な係止端面７９が形成される。係止爪２５は、係止穴７５を貫通した後、係止面６９がこの係止端面７９に引っ掛かり（係止され）、係止穴７５からの抜けが規制（ロック）される。
【００２７】
図４は電線配索溝部２１における副係止爪２９位置での横断面図である。
副係止爪２９は、蓋部２３のヒンジ５５が形成される側の支持側縁部８１に形成される副被係止部である。この副係止爪２９は、係止爪２５とほぼ同一の長さで蓋部２３から突出する。蓋部２３は、支持側縁部８１に、一方の側壁４９の外面８３と平行となるリブ片８５（図２参照）が形成される。副係止爪２９は、このリブ片８５の一部から、更に突出して外面８３と平行に形成される。副係止爪２９は、副係止爪本体８７と、副爪部８９と、を有する。副爪部８９は、蓋部２３が電線配索溝部２１に被せられた状態において、一方の側壁４９と反対側の副係止爪本体面から突出して形成される。副爪部８９は、蓋部２３の閉止動作の先端側に、先端に向かって副爪部８９を薄厚とするテーパ面６７を有する。このテーパ面６７の後方には、外面８３に垂直な係止面６９が形成される。副係止爪２９は、この係止面６９が副爪受部３１に係止される。
【００２８】
副爪受部３１は、一方の側壁４９の外面８３に形成される。副爪受部３１には、副係止爪２９が係止される。副爪受部３１は、脚部７１と、副係止板９１と、を有する。副係止板９１は、一方の側壁４９の外面８３と平行に配置される。副係止板９１は、電線配索溝部２１の延在方向（図２の左右方向）の両端が、一対の脚部７１により一方の側壁４９の外面８３に一体的に成形される。したがって、副係止板９１と外面８３との間には、外面８３、副係止板９１、一対の脚部７１に包囲される矩形の係止穴７５（図２参照）が形成される。この係止穴７５は、副係止爪２９を受け入れる。副係止板９１は、合成樹脂材料が有する弾性（可撓性）により外面５９から離反する方向の若干の変形を許容する。副係止板９１には、副係止爪２９の挿入方向に向かって外面８３に徐々に接近する案内傾斜面７７が形成される。案内傾斜面７７は、蓋部２３の閉止時に、当接した副係止爪２９の先端を摺接させることにより、副係止爪２９を係止穴７５に貫通させる方向に案内する。副係止板９１は、副係止爪２９の貫通側に、外面８３と垂直な係止端面７９が形成される。副係止爪２９は、係止穴７５を貫通した後、係止面６９が、この係止端面７９に引っ掛かり（係止され）、係止穴７５からの抜けが規制（ロック）される。
【００２９】
そして、バスバモジュール１１は、図２に示すように、係止爪２５及び爪受部２７と、副係止爪２９及び副爪受部３１とが、電線配索溝部２１の延在方向の異なる位置に形成されている。係止爪２５及び爪受部２７は、電線配索溝部２１を溝幅方向に横断する仮想横断線上に配置される。また、副係止爪２９及び副爪受部３１は、電線配索溝部２１を溝幅方向に横断する上記の仮想横断線と平行な他の仮想横断線上に配置される。即ち、係止爪２５及び爪受部２７と、副係止爪２９及び副爪受部３１とは、平面視で、一方の側壁４９と他方の側壁５１と上記した一対の仮想横断線とで形成される方形状の対角線上（対角位置）に配置される。
【００３０】
更に、バスバモジュール１１は、突出壁３３を有する。突出壁３３は、一方の側壁４９の副爪受部３１と反対側の内面から電線配索溝部２１の溝幅方向に突出する。即ち、副爪受部３１と突出壁３３とは、上記した他方の仮想横断線上に配置される。突出壁３３は、板状に形成されたもので、一方の側壁４９の上端近傍から対向する他方の側壁５１へ向かって水平に突出される。突出壁３３と他方の側壁５１との間には、電線１９の外径よりも大きな寸法の隙間９３が形成されている。この隙間９３は、電線配索溝部２１への電線１９の挿入を可能としている。突出壁３３は、蓋部２３を閉止方向に回転した際、副係止爪２９と当接が可能となる。
【００３１】
本来、副係止爪２９は、蓋部２３の閉動に際し、係止穴７５へ進入する。蓋部２３は、ヒンジ５５の無理な変形等により、副係止爪２９が係止穴７５から外れることが考えられる。この際、突出壁３３は、副係止爪２９の先端に当接する。突出壁３３は、この当接により、副係止爪２９が電線配索溝部２１の一方の側壁４９を乗り越え、電線配索溝部２１の内側へ進入することを防止する。
【００３２】
また、突出壁３３は、電線配索溝部２１に収容された電線１９の浮き上がりを抑えることができる。その結果、突出壁３３は、浮上する電線１９の押し込み作業を低減して作業性を高める働きも有する。
【００３３】
次に、上述したバスバモジュール１１の組立手順を説明する。
まず、バスバ収容部３７に、バスバ３５と、予め電線１９が取り付けられた電圧検出端子４３と、を順次収容する。電圧検出端子４３に取り付けられた電線１９を電線配索溝部２１に収容する。そして、各蓋部２３を回転させてヒンジ５５を屈曲させることにより、溝開口を塞ぐように電線配索溝部２１に被せる。この際、副係止爪２９は、副爪受部３１に設けられた係止穴７５に挿入される。係止爪２５は、爪受部２７に設けられた係止穴７５に挿入される。
【００３４】
蓋部２３は、ヒンジ５５を中心に回転されるので、係止爪２５と副係止爪２９とが同一の長さで突出している構成では、回転半径の内側に位置する副係止爪２９が、先に一方の側壁４９の係止穴７５に挿入される。その後、係止爪２５が、他方の側壁５１の係止穴７５に挿入される。
【００３５】
この際、仮に、ヒンジ５５の無理な変形等により、副係止爪２９が、係止穴７５から外れ、一方の側壁４９の内側へ進入しようとすると、副係止爪２９が突出壁３３に当接する。蓋部２３は、副係止爪２９が突出壁３３に当接することで、それ以上の回転が規制される。作業者は、この回転が規制された状態により、副係止爪２９が電線配索溝部２１に誤進入していることを気づくことができる。
【００３６】
蓋部２３は、副爪受部３１の係止穴７５から外れた副係止爪２９を係止穴７５へ挿入し直すことにより、閉動が可能となる。蓋部２３は、電線配索溝部２１の一対の側壁４９，５１の上端に当接する位置まで回転されると、係止爪２５及び副係止爪２９が、爪受部２７及び副爪受部３１に係止され、電線配索溝部２１の溝開口を塞いだ状態に固定（ロック）される。このようにして、バスバモジュール１１は組み立てられる。
【００３７】
次に、上記した構成の作用を説明する。
図５は蓋部２３の副係止爪２９が突出壁３３に当接した状態を示す電線配索体１７の横断面図である。
本実施形態に係るバスバモジュール１１では、一対の側壁４９，５１を有する電線配索溝部２１に、一方の側壁４９にヒンジ５５を介して連結した蓋部２３が被せられる。蓋部２３は、ヒンジ５５を回転中心に回転されて閉動される。副係止爪２９は、ヒンジ５５が形成される側の支持側縁部８１に形成されているので、蓋部２３の開閉側縁部５７に設けられた係止爪２５よりも先に、電線配索溝部２１に接近する。副係止爪２９が接近する一方の側壁４９の内面には、他方の側壁５１に向けて突出壁３３が突出している。副係止爪２９は、この突出壁３３により一方の側壁４９を乗り越えて一方の側壁４９の内面側へ進入することが規制される。また、副係止爪２９が突出壁３３に当接した状態では、蓋部２３のそれ以上の回転も規制される。蓋部２３は、副係止爪２９が突出壁３３と反対側の一方の側壁４９の外面５９に沿う位置に配置されることで、回転が可能となる。この突出壁３３による副係止爪２９の誤進入防止作用により、副係止爪２９が未係止となることが防止される。
【００３８】
図６は中央線を境に左右で異なる電線配索溝部２１の位置を切った横断面図である。
溝開口を塞いだ蓋部２３は、開閉側縁部５７の係止爪２５が、他方の側壁５１の外面５９に形成された爪受部２７に係止される。また、蓋部２３は、支持側縁部８１の副係止爪２９が、一方の側壁４９の外面８３に形成された副爪受部３１に係止される。蓋部２３は、ヒンジ側の支持側縁部８１にも副係止爪２９が設けられたことで、蓋部２３を閉じた際に電線配索溝部２１の溝幅方向の両側でロックされる。したがって、仮にヒンジ５５が切れた場合であっても電線配索溝部２１から蓋部２３が浮くことが防止される。
【００３９】
なお、突出壁３３は、電線配索溝部２１に収容された電線１９の上方で溝開口を横断する方向に突出しているので、電線配索溝部２１から電線１９が浮き上がることも規制できる。
【００４０】
このバスバモジュール１１では、係止爪２５及び爪受部２７と、副係止爪２９及び副爪受部３１とが、電線配索溝部２１の延在方向に離間して配置される。係止爪２５及び爪受部２７と、副係止爪２９及び副爪受部３１とは、他方の側壁５１側と一方の側壁４９側とに配置され、且つ電線配索溝部２１の延在方向に離間されるので、方形状の蓋部２３の対角線上に配置される。蓋部２３は、係止爪２５及び副係止爪２９が対角線上に配置されることにより、少ないロック数で長手方向の広い領域にわたって蓋部２３の浮き上がりを防止できる。即ち、係止爪２５及び副係止爪２９を、必要最小限の数で設けることができる。
【００４１】
したがって、本実施形態に係るバスバモジュール１１によれば、ヒンジ５５が切れた場合であっても電線配索溝部２１から蓋部２３が浮くことを防止できる。
【００４２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
ここで、上述した本発明に係るバスバモジュールの実施形態の特徴をそれぞれ以下［１］〜［２］に簡潔に纏めて列記する。
［１］  複数の単電池（１５）で構成された電池集合体（１３）に取り付けられて各単電池（１５）の電極間を電気的に接続する複数のバスバ（３５）を収容した電線配索体（１７）と、
前記バスバ（３５）を介して前記各単電池（１５）に接続される複数の電線（１９）と、
前記電線配索体（１７）に形成されて一対の側壁（４９，５１）の間に前記電線（１９）を収容する電線配索溝部（２１）と、
一方の側壁（４９）にヒンジ（５５）を介して支持されて前記電線配索溝部（２１）に被せられて溝開口を塞ぐ蓋部（２３）と、
前記蓋部（２３）における前記ヒンジ（５５）と反対側の開閉側縁部（５７）に形成される被係止部（係止爪２５）と、
他方の側壁（５１）の外面（５９）に形成されて前記被係止部（係止爪２５）が係止される係止部（爪受部２７）と、
前記蓋部（２３）における前記ヒンジ（５５）が形成される側の支持側縁部（８１）に形成される副被係止部（副係止爪２９）と、
前記一方の側壁（４９）の外面（８３）に形成され前記副被係止部（副係止爪２９）が係止される副係止部（副爪受部３１）と、
前記一方の側壁（４９）における前記副係止部（副爪受部３１）と反対側の内面から前記他方の側壁（５１）に向けて突出する突出壁（３３）と、
を備えることを特徴とするバスバモジュール（１１）。
［２］  上記［１］に記載のバスバモジュールであって、
前記被係止部（係止爪２５）及び前記係止部（爪受部２７）と、前記副被係止部（副係止爪２９）及び前記副係止部（副爪受部３１）とが、前記電線配索溝部（２１）の延在方向の異なる位置に形成されることを特徴とするバスバモジュール（１１）。
【符号の説明】
【００４４】
１１…バスバモジュール
１３…電池集合体
１５…単電池
１７…電線配索体
１９…電線
２１…電線配索溝部
２３…蓋部
２５…係止爪（被係止部）
２７…爪受部（係止部）
２９…副係止爪（副被係止部）
３１…副爪受部（副係止部）
３３…突出壁
３５…バスバ
４９…一方の側壁
５１…他方の側壁
５５…ヒンジ
５７…開閉側縁部
５９…外面
８１…支持側縁部
８３…外面
【図１】
2018195504.tif 000003
【図２】
2018195504.tif 000004
【図３】
2018195504.tif 000005
【図４】
2018195504.tif 000006
【図５】
2018195504.tif 000007
【図６】
2018195504.tif 000008
【図７】
2018195504.tif 000009